(57)【特許請求の範囲】
【請求項１】
光信号を発光する発光部と、
前記発光部で発光する光信号を制御する発光制御部と、
前記発光部から発光された光信号の物体からの反射光を受光する受光部と、
前記光信号と同期した反射光を抽出し波形整形する波形成形部と、
前記波形成形部から出力される受光信号が入力された後、所定時間内に所定回数の受光信号が入力された場合に前記ランプの点灯／消灯の切り替えを判断し、判定信号を出力する信号判定部と、
前記信号判定部から出力された判定信号に基づいて前記ランプの点灯／消灯の出力状態を切り替え、その状態を保持するラッチ部とを有し、
前記ランプの点灯から消灯への切り替え、または、前記ランプの消灯から点灯への切り替えのそれぞれに対して前記所定時間及び前記所定回数の設定を相違させている
ことを特徴とする照明制御装置。
【請求項２】
前記ランプの点灯から消灯への切り替えの際の前記所定回数は、
前記ランプの消灯から点灯への切り替えの際の前記所定回数に比べて多く設定してある
ことを特徴とする請求項１に記載の照明制御装置。
【請求項３】
前記ラッチ部が前記ランプの点灯／消灯の出力状態を切り替えた後、
前記信号判定部が受光信号を所定期間受け付けないマスク期間を設けた
ことを特徴とする請求項１又は２に記載の照明制御装置。
【請求項４】
マスク期間中であることを報知する報知部を設けた
ことを特徴とする請求項３に記載の照明制御装置。
【請求項５】
ランプと、
前記ランプを制御する前記請求項１〜４のいずれかに記載の照明制御装置とを備えた
ことを特徴とする照明装置。
【発明の詳細な説明】
【技術分野】
【０００１】
本発明は、蛍光灯等の点灯装置の点灯／消灯を制御する照明制御装置及びそれを備えた照明装置に関し、特に、光信号を発信する発光部と物体からの反射光を受光する受光部とを備えた反射式非接触スイッチを有する照明制御装置及びそれを備えた照明装置に関するものである。
【背景技術】
【０００２】
従来、「一定レベルの光信号を一定周期でパルス発信する投光器と、この投光器より発信されたパルス光信号の物体からのパルス反射波を受信する受光器とを備え、この受光器からの信号を増幅する増幅器と、外来ノイズ等の影響を除去するノイズ除去部と、前記パルス発信信号と前記反射波信号との同期を取り、両者が同期した場合にのみ前記反射波信号を取出して整形する波形整形部と、この波形整形部からの一定レベルの連続信号を受けるごとに出力レベルの状態を反転させるラッチ部と、このラッチ部からの前記出力レベル信号により、蛍光灯等の照明負荷への給電をＯＮ−ＯＦＦする駆動部とからなる負荷制御手段を有する」ようにした照明装置が存在する（たとえば、特許文献１参照）。
【０００３】
【特許文献１】特開平３−２８０３９８号公報（第２頁、図１）
【発明の開示】
【発明が解決しようとする課題】
【０００４】
上記の照明装置においては、投光器から発信されたパルス光信号が物体（たとえば、使用者の手や体）に当たり、物体が反射した反射光（受光信号）を受光器で受光し、その受光信号とパルス光信号とが同期しているかどうかで点灯／消灯を行っていた。つまり、受光器で受光した受光信号がパルス光信号と同期している場合に、その受光信号を有効であるものとして、正規の検知信号としてラッチ部に入力するようになっており、ラッチ部に正規の検知信号が入力される度に点灯／消灯を交互に繰り返すようになっていた。
【０００５】
ラッチ部は、正規の検知信号が入力される度に出力レベルの状態を反転させるように動作し、照明装置の負荷である蛍光灯は点灯／消灯を交互に繰り返すことになっている。すなわち、このような構成・動作となっている照明装置においては、使用者が投光器や受光器の近傍に手等の反射体になるものをかざすことで、照明装置の点灯状態を容易に切り替えることが可能となっている。
【０００６】
しかしながら、有効な検出信号がラッチ部に入力される毎に点灯状態が切り替わってしまうため、使用者が点灯状態の切り替えを意図していない場合にも点灯状態が切り替わってしまうということがあった。たとえば、使用者の顔や頭等が反射体となってしまい、その反射光が有効な検出信号としてラッチ部に入力されて点灯状態が点灯から消灯に急に切り替わってしまったり、使用者以外の反射体の存在（キッチンスペースにおける戸棚や冷蔵庫等の扉の開閉）で、点灯状態が切り替わってしまったりするということがあった。つまり、予期しない誤動作が発生してしまうという問題点があった。
【０００７】
本発明は、上記のような問題を解決するためになされたもので、誤動作による点灯状態の切り替えを防止することが可能な非接触式スイッチを有する照明制御装置及びそれを備えた照明装置を提供することを目的とするものである。
【課題を解決するための手段】
【０００８】
本発明に係る照明制御装置は、光信号を発光する発光部と、前記発光部で発光する光信号を制御する発光制御部と、前記発光部から発光された光信号の物体からの反射光を受光する受光部と、前記光信号と同期した反射光を抽出し波形整形する波形成形部と、前記波形成形部から出力される受光信号が入力された後、所定時間内に所定回数の受光信号が入力された場合に前記ランプの点灯／消灯の切り替えを判断し、判定信号を出力する信号判定部と、前記信号判定部から出力された判定信号に基づいて前記ランプの点灯／消灯の出力状態を切り替え、その状態を保持するラッチ部とを有し、前記ランプの点灯から消灯への切り替え、または、前記ランプの消灯から点灯への切り替えのそれぞれに対して前記所定時間及び前記所定回数の設定を相違させていることを特徴とする。
【発明の効果】
【０００９】
本発明に係る照明制御装置は、光信号を発光する発光部と、前記発光部で発光する光信号を制御する発光制御部と、前記発光部から発光された光信号の物体からの反射光を受光する受光部と、前記光信号と同期した反射光を抽出し波形整形する波形成形部と、前記波形成形部から出力される受光信号が入力された後、所定時間内に所定回数の受光信号が入力された場合に前記ランプの点灯／消灯の切り替えを判断し、判定信号を出力する信号判定部と、前記信号判定部から出力された判定信号に基づいて前記ランプの点灯／消灯の出力状態を切り替え、その状態を保持するラッチ部とを有し、前記ランプの点灯から消灯への切り替え、または、前記ランプの消灯から点灯への切り替えのそれぞれに対して前記所定時間及び前記所定回数の設定を相違させているので、使用者の意図しない動作によってランプの点灯／消灯が切り替わることがないといった誤動作を防止することが可能になる。また、不安定になりがちな非接触式スイッチを有する照明装置の操作性を向上させることが可能になる。
【発明を実施するための最良の形態】
【００１０】
以下、図面に基づいて本発明の実施の形態について説明する。
実施の形態１．
図１は、本発明の実施の形態１に係る照明装置１００の電気的な構成を示すブロック図である。照明装置１００は、非接触式スイッチ１０と、発光制御部２０と、信号判定部３０と、ラッチ部４０と、点灯制御信号生成部５０と、点灯回路６０とで構成されている。ここでは、発光制御部２０、信号判定部３０、ラッチ部４０及び点灯制御信号生成部５０が点灯回路６０の外部に設けてある場合を例に示しているが、点灯回路６０の内部に設けてあってもよい。なお、非接触式スイッチ１０と発光制御部２０と信号判定部３０とラッチ部４０とで照明制御装置８０を構成している。
【００１１】
非接触式スイッチ１０は、赤外線ＬＥＤ（発光ダイオード）等からなる光信号Ｓ０を発光する発光部１１と、光信号Ｓ０の反射体１からの反射光Ｓ０’を受光するフォトトランジスタ等で構成された受光部１３と、受光部１３が受光した反射光Ｓ０’のうち光信号Ｓ０と同期している反射光Ｓ０’を抽出し受光信号Ｓ２に波形成形する波形成形部１４とで構成されている。ここでは、発光部１１と受光部１３と波形成形部１４とが非接触式スイッチ１０の内部に設けられている場合を例に示しているが、これに限定するものではない。なお、発光部１１は、発光制御部２０が出力する発光制御信号Ｓ１により光信号Ｓ０の発光が制御されるようになっている。また、反射体１には、使用者の手を例として示してある。
【００１２】
波形成形部１４は、反射光Ｓ０’が発光制御信号Ｓ１に同期している場合に、その反射光Ｓ０’を抽出し、その反射光Ｓ０’を波形成形して受光信号Ｓ２として信号判定部３０に出力するようになっている。信号判定部３０は、波形成形部１４から出力された受光信号Ｓ２を入力し、その後所定時間内に所定回数の受光信号Ｓ２の入力があったときに判定信号Ｓ３をラッチ部４０に出力するようになっている。なお、この信号判定部３０については、後に詳述する。
【００１３】
ラッチ部４０は、信号判定部３０から出力された判定信号Ｓ３が入力されると、点灯／消灯の出力状態を切り替えて、その状態を保持するようになっている。すなわち、判定信号Ｓ３が入力されると、点灯状態であれば消灯状態に、消灯状態であれば点灯状態にそれぞれ切り替えて、新しく判定信号Ｓ３が入力されるまで、その状態を保持するようになっている。ラッチ部４０が出力状態を切り替える場合には、点灯切替信号Ｓ４が生成されて点灯制御信号生成部５０に出力されるようになっている。このラッチ部４０は、フリップフロップ回路で構成するとよい。
【００１４】
点灯制御信号生成部５０は、ラッチ部４０から出力された点灯切替信号Ｓ４が入力されると、点灯制御信号Ｓ５を生成し、点灯回路６０に出力するようになっている。この点灯制御信号Ｓ５により、蛍光灯等のランプ７０（照明負荷）の点灯／消灯が実行されるようになっている。つまり、点灯制御信号生成部５０が点灯制御信号Ｓ５を出力すると、その点灯制御信号Ｓ５が点灯回路６０に入力されてランプ７０の点灯／消灯が行われるようになっているのである。
【００１５】
点灯回路６０は、商用電源２と接続されており、点灯制御信号生成部５０から出力される点灯制御信号Ｓ５によってランプ７０を点灯／消灯するようになっている。なお、点灯回路６０を特に限定するものではなく、安定器を使用したグロー方式の点灯回路やスタータ方式の点灯回路、インバータを使用した点灯回路等で構成するとよい。
【００１６】
この点灯回路６０には、商用電源２から供給される交流電圧を整流して直流電圧に変換する整流回路や照明装置１００内で発生するノイズを除去するためのノイズフィルタ回路、直流電圧の電圧値を変換する昇圧回路等を備えておくのが望ましい。また、照明負荷となるランプ７０を特に限定するものではなく、たとえば蛍光灯等の放電灯やＬＥＤ（発光ダイオード）であるとよい。
【００１７】
次に、照明装置１００の動作について説明する。
図２は、本発明の実施の形態１に係る照明装置１００の動作を示すタイミングチャートである。最初に、照明装置１００の状態が消灯状態である場合を例に説明する。すなわち、使用者（ユーザ）が何らのアクションも起こさなければ照明装置１００はラッチ部４０により消灯状態を保持するようになっている。なお、ランプ７０には電力が供給されないようになっているが、発光制御部２０及び非接触式スイッチ１０には、電力が供給されており、使用者からのアクションに待機するようになっている。
【００１８】
図１に示したように構成された照明装置１００において、発光部１１は、発光制御部２０から周期的に出力される発光制御信号Ｓ１に基づいて、その発光制御信号Ｓ１と同期するように周期的に発光素子から光信号Ｓ０を発光するように動作している。ここでは、所定の周期間隔をＴで表し、光信号Ｓ０が発光される所定の時間をｔで表すものとする。なお、この所定の周期間隔や発光時間は、変更可能にしておくとよい。
【００１９】
まず、光信号Ｓ０が反射体１（ここでは、使用者が手をかざすものとする）により、反射されて、その反射光Ｓ０’が受光部１３に入光する。この反射光Ｓ０’は、光信号Ｓ０と同期したものであるために波形成形部１４で波形成形されて受光信号Ｓ２が生成される。そして、受光信号Ｓ２は、信号判定部３０に出力される。なお、波形成形部１４では、外乱除去のために、反射光Ｓ０’を２度検出した場合を真の反射光Ｓ０’として抽出し、それを受光信号Ｓ２として波形成形し、信号判定部３０に出力するようになっている。
【００２０】
受光信号Ｓ２を入力した信号判定部３０は、その受光信号Ｓ２に基づいて使用者（ユーザ）からのアクションがあったかどうかを判断する。すなわち、信号判定部３０は、波形成形部１４から出力される受光信号Ｓ２が所定時間内に所定回数入力されることで、使用者からアクションがあったものであると判断するようになっている。ここでは、所定時間Ａを５秒、所定回数Ｂを２回に設定してある場合を例に示している。したがって、信号判定部３０では、１回目の受光信号Ｓ２が入力された後、所定期間Ａの間（５秒間）に所定回数Ｂ（２回）の受光信号Ｓ２の入力が行われたかどうかで使用者からのアクションがあったかどうかを判断しているのである。
【００２１】
１回目の受光信号Ｓ２が信号判定部３０に入力されると、信号判定部３０では５秒間（所定時間Ａ）の計時を開始する。そして、信号判定部３０は、一回目の受光信号Ｓ２の入力から５秒の間に再び受光信号Ｓ２の入力（２回目）があれば、判定信号Ｓ３を生成しラッチ部４０に出力する。１回目の受光信号Ｓ２が入力されてから５秒以内に２回目の受光信号Ｓ２の入力がなければ、判定信号Ｓ３は生成されない。言い換えれば、５秒以内に２回目の受光信号Ｓ２が信号判定部３０に入力されなければ、使用者からのアクションが何もなかったものと判断するのである。
【００２２】
したがって、照明装置１００の点灯／消灯を切り替えたい使用者は、一旦手をかざした後、５秒以内に再び手をかざすという動作を行わなければならない。すなわち、一旦手をかざしただけでは、照明装置１００の点灯／消灯は、切り替わらないのである。このようにして、照明装置１００の誤動作を防止しているのである。つまり、点灯状態の切り替えを意図していない使用者や、使用者以外の反射体から反射光Ｓ０’が入力されたとしても、所定時間内に所定回数の反射光Ｓ０’が入力されなければ点灯状態の切り替えが行われないので、誤動作を防止することができるのである。なお、この所定時間Ａや所定回数Ｂは、予め設定されていてもよく、後に設定してもよい。
【００２３】
判定信号Ｓ３が入力されたラッチ部４０は、点灯切替信号Ｓ４を生成し、点灯制御信号生成部５０に出力する。この点灯切替信号Ｓ４は、消灯指令から点灯指令へと切り替えて、点灯指令を保持する。つまり、ラッチ部７は、次の判定信号Ｓ３が入力されるまで、点灯切替信号Ｓ４を点灯指令として保持するので、点灯状態が継続するようになっているのである。判定信号Ｓ３が処理されるまでの動作は以上である。点灯指令を示す点灯切替信号Ｓ４を受けた点灯制御信号生成部５０では、点灯回路６０を点灯動作させるための点灯制御信号Ｓ５を生成し、点灯回路６０に出力する。そして、点灯切替信号Ｓ４が入力された点灯回路６０は、ランプ７０を点灯させることになる。
【００２４】
次に、照明装置１００の状態が点灯状態である場合を例に説明する。使用者が５秒（所定時間Ａ）以内に２回（所定回数）手をかざす動作をすることによって判定信号Ｓ３が生成されるまでは、状態が消灯状態である場合と同様である。判定信号Ｓ３が入力されたラッチ部４０は、点灯切替信号Ｓ４を点灯指令から消灯指令へ切り替えて、消灯状態を保持する。消灯指令を示す点灯切替信号Ｓ４を入力した点灯制御信号生成部５０では、ランプ７０を消灯させるための点灯制御信号Ｓ５を生成し、点灯回路６０に出力する。そして、点灯切替信号Ｓ４が入力された点灯回路６０は、ランプ７０を消灯させる。
【００２５】
以上のように、信号判定部３０において予め定めた所定時間内に所定回数の受光信号Ｓ２を受信した場合に、判定信号Ｓ３を生成し照明装置１００の点灯／消灯を切り替えるようにするので、照明装置１００の点灯状態を切り替えるためには使用者が意図的に所定時間内に所定回数だけ手をかざす等の動作を行わなければならない。そのため、使用者の意図しない動作によって点灯状態が切り替わることが無く、誤動作を防止することが可能になるという効果がある。
【００２６】
実施の形態２．
実施の形態１では、信号判定部３０が予め定めた所定時間Ａ（５秒）に所定回数Ｂ（２回）の受光信号Ｓ２を受信した場合に判定信号Ｓ３を生成し、その判定信号Ｓ３がラッチ部４０に入力することで照明装置１００のランプ点灯状態を切り替えるようにしたものであるが、実施の形態２では、ランプ７０の点灯から消灯への切り替え、またはランプ７０の消灯から点灯への切り替えそれぞれに対して所定時間内に受信する所定回数の設定を相違させて、ランプ７０の点灯／消灯を切り替えるようにしたものである。なお、実施の形態２に係る照明装置１００の電気的な構成は実施の形態１で示した構成と同様であるため説明を省略するものとする。
【００２７】
図３は、本発明の実施の形態２に係る照明装置１００の動作を示すタイミングチャートである。実施の形態２では、信号判定部３０が所定時間Ａの間に予め設定されている所定回数Ｂの受光信号Ｓ２の入力が行われたかどうかを判定するようになっているが、ランプ７０が消灯状態にあるときの所定回数Ｂの設定値をＢ１とし、ランプ７０が点灯状態にあるときの所定回数Ｂの設定値をＢ２とし、Ｂ１とＢ２との関係がＢ１＜Ｂ２となるように所定回数Ｂが設定してある場合を例に説明する。なお、説明の簡便のためＢ１を１回、Ｂ２を２回として説明するものとする。また、予め設定される所定時間Ａは、５秒として説明するものとする。
【００２８】
まず、照明装置１００の状態が消灯状態である場合を例に説明する。照明装置１００が消灯状態にあるとき、使用者が手をかざすことで反射光Ｓ０´が受光部１３に入光してから受光信号Ｓ２を出力するまでの動作は、実施の形態１で説明した動作と同様である。現在、ランプ７０が消灯状態であるため、信号判定部３０に設定してある所定回数ＢはＢ１つまり１回である。すなわち、ランプ７０が消灯状態である場合には、使用者は手を一回かざすことで、点灯状態へと切り替わるようになっている。使用者が一回手をかざすことにより、波形成形部１４から受光信号Ｓ２が信号判定部３０に出力され、この受光信号Ｓ２を入力した信号判定部３０は、判定信号Ｓ３を生成し、ラッチ部４０に出力する。
【００２９】
判定信号Ｓ３を入力したラッチ部４０は、点灯切替信号Ｓ４を生成し、点灯制御信号生成部５０に出力し、消灯指令から点灯指令へと切り替えて、点灯指令を保持する。点灯切替信号Ｓ４が入力された点灯制御信号生成部５０では、ランプ７０を点灯動作させるための点灯制御信号Ｓ５を生成し、点灯回路６０に出力する。そして、ランプ７０を点灯動作させるための点灯制御信号Ｓ５が入力された点灯回路６０は、ランプ７０を点灯させることになる。
【００３０】
次に、照明装置１００の状態が点灯状態である場合を例に説明する。照明装置１００が点灯状態にあるため、信号判定部３０に設定してある所定回数ＢはＢ２つまり２回である。すなわち、ランプ７０が点灯状態にある場合には、使用者が一回手をかざすだけでは、点灯状態から消灯状態への切り替えは行われない。１回目の受光信号Ｓ２が信号判定部３０へ入力されると、信号判定部３０において５秒間（所定時間Ａ）の計時を開始する。信号判定部３０において、１回目の受光信号Ｓ２の入力から５秒間の間に再び受光信号Ｓ２の入力（２回目）があった場合に、信号判定部３０は判定信号Ｓ３を生成し、ラッチ部４０に出力する。
【００３１】
判定信号Ｓ３を入力したラッチ部４０は、点灯切替信号Ｓ４を生成し、点灯制御信号生成部５０に出力し、点灯指令から消灯指令へ切り替えて、消灯状態を保持する。消灯指令を示す点灯切替信号Ｓ４を入力した点灯制御信号生成部５０では、ランプ７０を消灯動作させるための点灯制御信号Ｓ５を生成し、点灯回路６０に出力する。そして、ランプ７０を消灯動作させるための点灯制御信号Ｓ５が入力された点灯回路６０は、ランプ７０を消灯させることになる。
【００３２】
以上のように、ランプ７０の点灯から消灯への切り替え、または、ランプ７０の消灯から点灯への切り替えそれぞれに対して所定時間内（所定時間Ａ）に受信する所定回数（所定回数Ｂ）の設定を相違させて、ランプ７０の点灯／消灯を切り替えるようにしているので、実施の形態１の効果に加え、操作感を向上させることが可能になるという効果がある。すなわち、照明装置１００の初期状態が消灯状態の場合には、使用者に要求する動作を１回（所定回数Ｂ１）に設定し、迅速に点灯状態への切り替えを行うようにし、照明装置１００の初期状態が点灯状態の場合には、使用者に要求する動作を２回（所定回数Ｂ２）に設定し、消灯状態への切り替えを行うようにしているのである。したがって、ランプ７０を点灯させるときと、消灯させるときとで使用者に要求する動作（回数）が異なり、点灯／消灯の切り替えの区別がつきやすく、誤動作を更に防止するとともに、操作感の向上を実現させている。
【００３３】
また、ランプ７０を消灯から点灯に切り替えるときは所定回数Ｂ１を少なく設定し、点灯から消灯に切り替えるときは所定回数Ｂ２を多く設定するようにすれば、使用者はランプ７０を点灯させる時は少ない動作で点灯させることが可能で、逆に消灯させるときには使用者は意識的に動作回数を増やすため、不意にランプを消灯してしまうといった誤動作を防止することが可能になる。なお、所定回数Ｂ１及び所定回数Ｂ２は、使用者が容易に変更できるようにしておくとよい。そうすれば、更に操作感を向上することができる。
【００３４】
実施の形態３．
実施の形態１では、信号判定部３０が予め定めた所定時間Ａ（５秒）に所定回数Ｂ（２回）の受光信号Ｓ２を受信した場合に判定信号Ｓ３を生成し、その判定信号Ｓ３がラッチ部４０に入力することで照明装置１００のランプ点灯状態を切り替えるようにした場合について示し、実施の形態２では、ランプ７０の点灯／消灯に応じて所定時間内に受信する所定回数の設定を相違させて点灯状態を切り替えるようにした場合について示した。この実施の形態３では、ランプ７０の点灯状態を切り替えた後、一定期間は受光信号Ｓ２の入力があった場合でも、その受光信号Ｓ２を受け付けないマスク機能を信号判定部３０に設けた場合を例に説明する。また、マスク期間中は使用者にマスク期間中であることを報知するための報知部を設けた場合についても併せて説明する。
【００３５】
図４は、本発明の実施の形態３に係る照明装置２００の電気的な構成を示すブロック図である。実施の形態１及び実施の形態２で説明した照明装置１００と同一の構成については、同一の符号を付し説明は省略する。実施の形態３に係る照明装置２００の構成は、実施の形態１及び２で説明した照明装置１００の構成のほかに信号判定部３０にマスク機能を有するマスク部３１を設け、マスク期間中である旨を使用者に報知する報知部３２を信号判定部３０に接続したものである。
【００３６】
報知部３２を構成する報知手段は、発光ダイオードのような表示素子やブザーのような音声による報知を行うものであればよく、特に限定するものではない。図では、報知部３２が照明制御装置８１内に設けられている場合を例に示しているが、これに限定するものではない。
【００３７】
次に、照明装置２００の動作について説明する。
図５は、本発明の実施の形態３に係る照明装置２００の動作を示すタイミングチャートである。最初に、照明装置２００の状態が点灯状態である場合を例に説明する。使用者が手をかざすことによってランプ７０を消灯状態に切り替えるまでの動作は、実施の形態１及び実施の形態２と同様であるため説明を省略する。使用者が手をかざす動作を行うことで、点灯状態にあるランプ７０は、消灯状態に切り替わる。
【００３８】
このとき、信号判定部３０は、判定信号Ｓ３を出力してから信号判定部３０内で予め設定された所定時間Ｃ（たとえば、１５秒）の間に、使用者が手をかざす動作を行うことによって波形整形部１４から出力される受光信号Ｓ２を受信しても、信号判定部３０は判定信号Ｓ３を生成しない。そのため、ラッチ部４０における点灯切替信号Ｓ４は切り替わらず、ランプ７０は消灯状態を継続する。つまり、所定時間Ｃをマスク期間として設定することで、信号判定部３０が判定信号Ｓ３を生成しないようにして現在の状態を保持するようになっているのである。
【００３９】
このマスク機能とは、マスク期間中に使用者から動作が行われても、動作を受け付けずに現在の点灯状態を維持する機能をいう。また、このマスク期間中は、報知部３２に設けた報知手段である発光ダイオードやブザー等によって使用者にマスク期間中である旨を知らせるようにしておけば、照明装置２００の点灯状態が切り替わらない理由を使用者は容易に理解することができる。そして、マスク期間経過後は、マスク機能は解除される。そうすると、信号判定部３０は、再び受光信号Ｓ２を入力することによって判定信号Ｓ３を生成し、その判定信号Ｓ３をラッチ部４０に出力するように動作する。
【００４０】
実施の形態３では、所定時間Ｃ（マスク期間中）の間に報知部３２による報知を行うとして説明したが、使用者にマスク期間中であることを報知できればどのような方法でもよく、特に限定するものではない。たとえば、所定時間Ｃ以外の期間に発光ダイオード等による報知を行い、マスク期間中は報知を行わないようにしてもよい。また、マスク期間についても変更可能にしておくとよい。さらに、マスク期間は、使用者が設定してもよく、予めデフォルトとして設定してあってもよい。
【００４１】
以上説明したように、ランプ７０の点灯状態を切り替えた後、一定期間は受光信号Ｓ２の入力があった場合でも、その受光信号Ｓ２を受け付けないマスク機能を有するマスク部３１を信号判定部３０に設けたので、使用者の動作による過渡的な誤動作を防止することが可能になる。また、マスク期間中は使用者にマスク期間中であることを報知するための報知部３２を設けたので、マスク期間中は操作が受け付けられないことを使用者は容易に認識でき、操作したにもかかわらず照明装置２００の動作が追従しないといった、操作感に関わるストレスを軽減する効果がある。
【図面の簡単な説明】
【００４２】
【図１】実施の形態１に係る照明装置の電気的な構成を示すブロック図である。
【図２】実施の形態１に係る照明装置の動作を示すタイミングチャートである。
【図３】実施の形態２に係る照明装置の動作を示すタイミングチャートである。
【図４】実施の形態３に係る照明装置の電気的な構成を示すブロック図である。
【図５】実施の形態３に係る照明装置の動作示すタイミングチャートである。
【符号の説明】
【００４３】
１  反射体、２  商用電源、１０  非接触式スイッチ、１１  発光部、１３  受光部、１４  波形成形部、２０  発光制御部、３０  信号判定部、３１  マスク部、３２  報知部、４０  ラッチ部、５０  点灯制御信号生成部、６０  点灯回路、７０  ランプ、８０  照明制御装置、８１  照明制御装置、１００  照明装置、２００  照明装置。
【図１】
0004726578.tif 000002
【図２】
0004726578.tif 000003
【図３】
0004726578.tif 000004
【図４】
0004726578.tif 000005
【図５】
0004726578.tif 000006